(57)【要約】【課題】打込型ルーフドレインのドレイン本体を、現場打ちコンクリートの打設前に仮固定装置によってハーフＰＣ板上に仮固定する際に、その施工を容易に行い得るハーフＰＣ板用打込部材を提供する。【解決手段】ハーフＰＣ板５の製造時に打設されるコンクリート２８に上下方向の挿通孔２９を形成するコンクリート遮断筒部１２の上部を天蓋板部１３で覆い、該天蓋板部１３に、上端でドレイン受皿２を所定高さ位置に保持する筒状スペーサ４の下端を嵌合する嵌合周壁１５を備えた嵌合部１６を形成するとともに、前記嵌合周壁１５による囲繞領域内に、仮固定装置を構成する支持プレート７が上方から装入可能で、該支持プレート７の長さ寸法に比して開口幅が狭い装入孔１７を開口した。【選択図】図１
2007239184.tif 000002
【特許請求の範囲】
【請求項１】
ドレイン受皿と該ドレイン受皿から下方に連成された排水管部とからなるドレイン本体の、その排水管部に外嵌されて、上端でドレイン受皿を所定高さ位置に保持する筒状スペーサと、螺子杆が立設された支持プレートを具備し、ドレイン本体とハーフＰＣ板とを連結する連結手段とを備えた仮固定装置によってドレイン本体をハーフＰＣ板上に仮固定する際に使用されるハーフＰＣ板用打込部材であって、
ハーフＰＣ板の製造時にその製造用コンクリート型枠上に配置されて、打設されたコンクリートに上下方向の挿通孔を形成し、かつその上部がハーフＰＣ板の上方に突出するコンクリート遮断筒部と、該コンクリート遮断筒部の上部を覆う天蓋板部とを備え、該天蓋板部に、前記筒状スペーサの下端を嵌合する連続状または非連続状の嵌合周壁を備えた嵌合部が形成されるとともに、前記嵌合周壁による囲繞領域内に前記支持プレートが上方から装入可能で、該支持プレートの長さ寸法に比して開口幅が狭い装入孔が開口される一方、前記コンクリート遮断筒部の外壁面に、打設されたコンクリート内に埋入するアンカーが側方突成されていることを特徴とするルーフドレイン本体の仮固定に用いるハーフＰＣ板用打込部材。
【請求項２】
嵌合部が、外周に嵌合周壁を備えた円形凸部または円形凹部であることを特徴とする請求項１に記載したルーフドレイン本体の仮固定に用いるハーフＰＣ板用打込部材。
【請求項３】
天蓋板部の下方の所定高さ位置に、装入孔から装入された支持プレートを水平状に保持する受縁部材が配設されていることを特徴とする請求項１または請求項２に記載したルーフドレイン本体の仮固定に用いるハーフＰＣ板用打込部材。
【請求項４】
受縁部材に、螺子杆に螺合される緊締用ナットの緊締方向への螺回操作に伴って回動する支持プレートの側面に当接して該支持プレートの回動を規制する回動規制片部が設けられていることを特徴とする請求項３に記載したルーフドレイン本体の仮固定に用いるハーフＰＣ板用打込部材。
【請求項５】
コンクリート遮断筒部の下底面に、製造用コンクリート型枠との固定に用いる両面テープの貼着領域を備えた貼着面部が設けられていることを特徴とする請求項１乃至請求項４の何れかに記載したルーフドレイン本体の仮固定に用いるハーフＰＣ板用打込部材。
【発明の詳細な説明】
【技術分野】
【０００１】
本発明は、打込型ルーフドレインのルーフドレイン本体（以下、これを単に「ドレイン本体」と称する。）を、現場打ちコンクリートの打設前に仮固定装置によってハーフＰＣ板上に仮固定する際に使用されるハーフＰＣ板用打込部材に関する。
【背景技術】
【０００２】
工場生産されるプレキャストコンクリート板（以下、これを「ＰＣ板」と称する。）にあって、通常の板厚の略半分の板厚で形成されるハーフＰＣ板が知られており、かかるハーフＰＣ板をＲＣ造建築物の床部に配設し、現場打ちコンクリートの型枠として用いる建築工法が広く採用されている。このように、ハーフＰＣ板を現場打ちコンクリートの型枠に用いることにより、一般的な木製の型枠が不要になるとともに、ハーフＰＣ板から突設されているトラス筋やトップ筋に対して現場打ちコンクリートの補強筋を取付け得るのでレベルが出し易く、その配筋作業が容易であり、また、通常の板厚のＰＣ板に比して軽量であるため、取扱い性がよく、現場へ搬入し易い等の種々の利点がある。
【０００３】
従来、上記のような建築工法において、ハーフＰＣ板上に現場打ちコンクリートを打設して構築される床面に、打込型ルーフドレインのドレイン本体を配設する場合には、該ドレイン本体を仮固定装置によってハーフＰＣ板上に仮固定した状態で現場打ちコンクリートが打設されるのであるが、ドレイン本体を仮固定するに際しては、図１１に示すように、上端でドレイン本体ａのドレイン受皿ｂを所定高さ位置に保持する筒状スペーサｃの下端を支持するための埋込部材ｄが用いられている。
【０００４】
該埋込部材ｄは、略矩形状の取付け基板ｅの中央に開口された円形の開口部ｆを囲繞する環状周壁ｇと、該環状周壁ｇの内周面に周設された鍔縁ｈとを備えている。一方、ドレイン本体ａを仮固定する仮固定装置は、前記筒状スペーサｃと、ドレイン本体ａの排水管部ｍに挿通される長尺な螺子杆ｎと、ドレイン受皿ｂの内底面上に乗載される挟圧板ｐと、該挟圧板ｐに挿通されて上方に突出する螺子杆ｎの突出端に螺合される緊締用ナットｒと、螺子杆ｎの下端部に揺動可能に連結された支持プレートｓとを備えている。ここで、支持プレートｓには、一端を略中央に位置させて一側方に偏倚する長孔ｔが形成されており、該長孔ｔに螺子杆ｎを挿通させると、図１３に示すように、支持プレートｓがその偏荷重によって下方傾斜した状態で螺子杆ｎに吊持されるようになっている。
【０００５】
このような仮固定装置と埋込部材ｄを用いてドレイン本体ａをハーフＰＣ板ｊ上に仮固定するには、先ず、図１２に示すように、ハーフＰＣ板ｊに形成されている挿通孔ｋと環状周壁ｇの中心を一致させた状態で、埋込部材ｄの取付け基板ｅをハーフＰＣ板ｊ上にモルタルによって固定する。ここで、ドレイン本体ａが配設されるハーフＰＣ板ｊは、施工現場に合わせて注文生産される場合が多く、該ハーフＰＣ板ｊには、工場生産時において、ドレイン本体ａの配設位置に対応する位置にボイド管（紙管）や塩ビ管等の管状型材を用いて挿通孔ｋが予め形成されている。
【０００６】
そして、上記のように、埋込部材ｄをハーフＰＣ板ｊ上に固定した後、図１３に示すように、該埋込部材ｄの環状周壁ｇ内に筒状スペーサｃの下端を嵌合して鍔縁ｈによって支承し、筒状スペーサｃの上端にドレイン受皿ｂを乗載してドレイン本体ａを所定高さ位置に保持した状態で、下端に支持プレートｓを下方傾斜状態で吊持した螺子杆ｎを、上方から排水管部ｍ及びハーフＰＣ板ｊの挿通孔ｋに差し入れて、該螺子杆ｎを傾けたり、或いは挿通孔ｋの孔縁に近づけたりし乍ら下方傾斜した支持プレートｓの上部側をハーフＰＣ板ｊの下面に引っ掛け、さらに該螺子杆ｎを長孔ｔ内で支持プレートｓの中央側に移動させた後、該螺子杆ｎを引き上げることによって、支持プレートｓの両端部をハーフＰＣ板ｊの下面に水平状に係合させ、この状態を維持し乍ら、図１１に示すように、螺子杆ｎの上端を挟圧板ｐに挿通して、その突出端に緊締用ナットｒを螺合させて緊締することにより、ドレイン本体ａをハーフＰＣ板ｊ上に仮固定するようにしている。
【発明の開示】
【発明が解決しようとする課題】
【０００７】
上記のような埋込部材ｄにあっては、ハーフＰＣ板ｊ上にモルタルによって固定するに際して、挿通孔ｋと環状周壁ｇの中心を正確に一致させることが極めて困難であり、このため、環状周壁ｇに下端を嵌合する筒状スペーサｃによって保持されるドレイン本体ａが挿通孔ｋの中心からずれ易いという問題点があった。また、螺子杆ｎの下端に下方傾斜状態で吊持した支持プレートｓをハーフＰＣ板ｊの下面に水平状に係合させるに際して、上記のようにその操作が極めて難しく面倒であり、さらにその後の緊締用ナットｒの螺合まで螺子杆ｎを手で把持していないと螺子杆ｎが下階まで落下してしまうという問題点があった。また、ハーフＰＣ板ｊの工場生産時において、該ハーフＰＣ板ｊに挿通孔ｋを予め形成するためにボイド管等の管状型材を別途用いる必要があった。さらに、ハーフＰＣ板ｊは、上部に現場打ちコンクリートを打設することを前提としているため、通常その上面は現場打ちコンクリートとの結合作用を向上し得るように粗面状に形成されるのであるが、埋込部材ｄが乗載される挿通孔ｋの周囲だけは、該埋込部材ｄを安定させるために平滑に仕上げねばならないという問題点があった。
【０００８】
本発明は、かかる従来の問題点を解消し得るルーフドレイン本体の仮固定に用いるハーフＰＣ板用打込部材を提供することを目的とするものである。
【課題を解決するための手段】
【０００９】
本発明は、ドレイン受皿と該ドレイン受皿から下方に連成された排水管部とからなるドレイン本体の、その排水管部に外嵌されて、上端でドレイン受皿を所定高さ位置に保持する筒状スペーサと、螺子杆が立設された支持プレートを具備し、ドレイン本体とハーフＰＣ板とを連結する連結手段とを備えた仮固定装置によってドレイン本体をハーフＰＣ板上に仮固定する際に使用されるハーフＰＣ板用打込部材であって、ハーフＰＣ板の製造時にその製造用コンクリート型枠上に配置されて、打設されたコンクリートに上下方向の挿通孔を形成し、かつその上部がハーフＰＣ板の上方に突出するコンクリート遮断筒部と、該コンクリート遮断筒部の上部を覆う天蓋板部とを備え、該天蓋板部に、前記筒状スペーサの下端を嵌合する連続状または非連続状の嵌合周壁を備えた嵌合部が形成されるとともに、前記嵌合周壁による囲繞領域内に前記支持プレートが上方から装入可能で、該支持プレートの長さ寸法に比して開口幅が狭い装入孔が開口される一方、前記コンクリート遮断筒部の外壁面に、打設されたコンクリート内に埋入するアンカーが側方突成されていることを特徴とするルーフドレイン本体の仮固定に用いるハーフＰＣ板用打込部材である。
【００１０】
上記構成にあって、ハーフＰＣ板用打込部材及び支持プレートは、適宜の剛性を備えた金属または硬質合成樹脂によって形成され得る。また、コンクリート遮断筒部は、断面矩形または円形に形成され得る。また、嵌合周壁を連続状または非連続状の円形とするとともに、該嵌合周壁による囲繞領域内に開口される装入孔を円形とし、その中心を嵌合周壁の中心に一致させることが望ましい。
【００１１】
また、前記嵌合部を、外周に嵌合周壁を備えた円形凸部または円形凹部とする構成が提案される。
【００１２】
また、前記天蓋板部の下方の所定高さ位置に、装入孔から装入された支持プレートを水平状に保持する受縁部材を配設する構成が提案される。
【００１３】
さらに、該受縁部材に、螺子杆に螺合される緊締用ナットの緊締方向への螺回操作に伴って回動する支持プレートの側面に当接して該支持プレートの回動を規制する回動規制片部を設ける構成が提案される。
【００１４】
また、前記コンクリート遮断筒部の下底面に、製造用コンクリート型枠との固定に用いる両面テープの貼着領域を備えた貼着面部を設ける構成が提案される。
【発明の効果】
【００１５】
本発明は、上述したように、ハーフＰＣ板の製造時にその製造用コンクリート型枠上に配置されて、打設されたコンクリートに上下方向の挿通孔を形成し、かつその上部がハーフＰＣ板の上方に突出するコンクリート遮断筒部と、該コンクリート遮断筒部の上部を覆う天蓋板部とを備え、該天蓋板部に、筒状スペーサの下端を嵌合する連続状または非連続状の嵌合周壁を備えた嵌合部が形成されるとともに、前記嵌合周壁による囲繞領域内に前記支持プレートが上方から装入可能で、該支持プレートの長さ寸法に比して開口幅が狭い装入孔が開口される一方、前記コンクリート遮断筒部の外壁面に、打設されたコンクリート内に埋入するアンカーが側方突成されているルーフドレイン本体の仮固定に用いるハーフＰＣ板用打込部材であるから、コンクリート遮断筒部と、嵌合周壁を有する嵌合部が形成された天蓋板部とが一体化されていることにより、コンクリート遮断筒部によって形成される挿通孔と嵌合周壁の中心を正確に一致させることができ、これによって嵌合周壁に下端を嵌合する筒状スペーサによって保持されるドレイン本体が挿通孔の中心からずれることがない。また、コンクリート遮断筒部の上部を覆う天蓋板部に、支持プレートが上方から装入可能で、該支持プレートの長さ寸法に比して開口幅が狭い装入孔が開口されていることにより、コンクリート遮断筒部の上部位置で、装入孔の孔縁下面に対する支持プレートの係合操作を極めて容易に行うことができる。即ち、従来のように、挿通孔を通過させてハーフＰＣ板の下面に支持プレートを水平状に係合させる場合に必要であった難しくて面倒な操作を不要にすることができる。さらに、コンクリート遮断筒部によって、ハーフＰＣ板の製造時に打設されたコンクリートに上下方向の挿通孔を形成し得るので、従来のように、ボイド管等の管状型材を別途用いる必要がない。また、本発明にかかる打込部材は、ハーフＰＣ板の製造時に打設されたコンクリートと一体化されるため、従来のように、埋込部材ｄ（図１２参照）が乗載される挿通孔ｋの周囲を平滑に仕上げる作業を不要にすることができる。
【００１６】
また、前記嵌合部を、外周に嵌合周壁を備えた円形凸部または円形凹部とする構成にあっては、金属製の天蓋板部に対するプレス加工によって嵌合部を精密かつ容易に形成することが可能となる。
【００１７】
また、前記天蓋板部の下方の所定高さ位置に、装入孔から装入された支持プレートを水平状に保持する受縁部材を配設する構成にあっては、支持プレートに立設された螺子杆から手を離しても、支持プレートを保持する受縁部材によって該支持プレートが落下することがない。
【００１８】
さらに、該受縁部材に、螺子杆に螺合される緊締用ナットの緊締方向への螺回操作に伴って回動する支持プレートの側面に当接して該支持プレートの回動を規制する回動規制片部を設ける構成にあっては、螺子杆に螺合される緊締用ナットの緊締方向への螺回操作時に、支持プレートが回動することがなく、その緊締操作を確実かつ容易に行うことができる。
【００１９】
また、前記コンクリート遮断筒部の下底面に、製造用コンクリート型枠との固定に用いる両面テープの貼着領域を備えた貼着面部を設ける構成にあっては、製造用コンクリート型枠上に貼着した両面テープ上に、コンクリート遮断筒部を乗載してその下底面に設けた貼着面部を貼着させることにより、製造用コンクリート型枠上への打込部材の設置を容易に行うことができる。
【発明を実施するための最良の形態】
【００２０】
以下に、本発明の一実施例を、図１〜図９に基づいて説明する。
打込型ルーフドレインのドレイン本体１は、図１に示すように、その上部に円形のドレイン受皿２を備え、該ドレイン受皿２の内底中央から下方に向けて排水管部３が連成された公知形状となっている。また、該排水管部３に外嵌されている筒状スペーサ４は、その上端でドレイン本体１をハーフＰＣ板５上に打設される現場打ちコンクリート３０の厚みに対応する所定の高さ位置に保持し、かつ該現場打ちコンクリート３０の排水管部３側への流入を遮断するためのものであって、該筒状スペーサ４の下端は、後述するハーフＰＣ板用打込部材１１の嵌合部１６に嵌合されている。また、ドレイン本体１とハーフＰＣ板５は連結手段によって連結されている。該連結手段は、後述するハーフＰＣ板用打込部材１１の装入孔１７の孔縁下面に係合される支持プレート７（図５参照）と、該支持プレート７の略中央に立設された螺子杆８と、ドレイン受皿２に被着されて前記螺子杆８の上端部が挿通される養生蓋を兼ねた挟圧板９と、該挟圧板９から上方に突出する螺子杆８の突出端に螺合される緊締用ナット１０とからなり、該連結手段と前記筒状スペーサ４とによって、ドレイン本体１をハーフＰＣ板５上に仮固定する仮固定装置が構成されている。
【００２１】
本発明の要部にかかるハーフＰＣ板用打込部材１１は、図２〜図４に示すように、コンクリート遮断筒部１２と、該コンクリート遮断筒部１２の上部を覆う天蓋板部１３とを備えており、該コンクリート遮断筒部１２と天蓋板部１３とが溶接により一体化されている。このハーフＰＣ板用打込部材１１の素材には鋼板が好適に用いられ得るが、鋼板に代えて硬質合成樹脂製としてもよい。この硬質合成樹脂製とする場合にはコンクリート遮断筒部１２と天蓋板部１３とを一体成形したり、別体成形後に接着剤で接合して一体化され得る。また、この実施例では、コンクリート遮断筒部１２を断面矩形に形成してハーフＰＣ板用打込部材１１の全体形状を立方体状としたが、これに変えてコンクリート遮断筒部１２を断面円形に形成してその全体形状を有蓋円筒状としてもよい。
【００２２】
前記コンクリート遮断筒部１２の高さ寸法は、ハーフＰＣ板５の厚み寸法より若干大きくなるように設定されており、これによってその上部をハーフＰＣ板５の上方に突出させ得るようにしている（図１参照）。また、コンクリート遮断筒部１２の外壁面にはハーフＰＣ板５の製造時に打設されるコンクリート内に埋入する複数のアンカー１４が側方突成されている。
【００２３】
前記天蓋板部１３には、コンクリート遮断筒部１２の中心軸線にその中心を一致させて、周方向に連続する嵌合周壁１５を外周に備えた円形凹部からなる嵌合部１６が形成されており、該嵌合部１６の嵌合周壁１５内に前記筒状スペーサ４の下端を嵌合し得るようになっている。また、該嵌合部１６には、嵌合周壁１５による囲繞領域内に該嵌合周壁１５と同心状の装入孔１７が開口されている。該装入孔１７は、前記螺子杆８を略中央に立設した支持プレート７が上方から装入可能で、該支持プレート７の長さ寸法に比してその開口幅が狭くなるように設定されている。さらに装入孔１７の孔縁には所定幅の鍔縁１８が周設されており、該鍔縁１８によって筒状スペーサ４の下端を支承し得るようになっている。
【００２４】
また、前記天蓋板部１３の下方の所定高さ位置には、装入孔１７を中心とする１８０°異なる位置に、一対の受縁部材１９，１９が配設されている。該受縁部材１９，１９は、装入孔１７から装入された支持プレート７の両端部を支承して水平状に保持し得るものであって、図６に示すように、上下方向に延在する連結片部２０ａと、該連結片部２０ａの上部に連設された水平状の取付け片部２０ｂと、該連結片部２０ａの下部に連設された水平状の受片部２０ｃとによって夫々断面略クランク形に形成されている。そして、各受縁部材１９，１９の取付け片部２０ｂ，２０ｂを溶接等の接合手段によって天蓋板部１３の下面に夫々固着することにより、受片部２０ｃ，２０ｃを天蓋板部１３の下方の所定高さ位置に保持し、該受片部２０ｃ，２０ｃによって支持プレート７の両端部を支承し得るようになっている。
【００２５】
また、前記受縁部材１９，１９は、受片部２０ｃ，２０ｃの一側縁から立ち上がる回動規制片部２１，２１を備えている。該回動規制片部２１，２１は、前記螺子杆８に螺合される緊締用ナット１０の緊締方向への螺回操作に伴って回動する支持プレート７の側面に当接して該支持プレート７の回動を規制し得るものであって、受縁部材１９，１９の受片部２０ｃ，２０ｃ上に支持プレート７の両端部が位置した状態で、緊締用ナット１０の緊締方向への螺回操作に伴う支持プレート７の回動方向側の側面に対向するように配設されている。また、受片部２０ｃ，２０ｃの他側縁には、受片部２０ｃ，２０ｃに支承された支持プレート７の他側面に当接して、該支持プレート７の脱落を防止する比較的高さの低い脱落防止片部２２，２２が上方突成されている。尚、装入孔１７から装入された支持プレート７の両端部は、該脱落防止片部２２，２２の上方空間を通過させて受片部２０ｃ，２０ｃによって支承可能な位置に移動される。
【００２６】
さらに、前記コンクリート遮断筒部１２の下底面には、図４に示すように、該コンクリート遮断筒部１２の下端開口２３を囲繞する所定幅の貼着板部２４が水平状に配設されており、該貼着板部２４の下面を製造用コンクリート型枠２６（図７参照）との固定に用いる両面テープ２７の貼着領域を備えた貼着面部２５としている。
【００２７】
次に、上記構成からなるハーフＰＣ板用打込部材１１の使用方法について説明する。
ハーフＰＣ板用打込部材１１はハーフＰＣ板５の製造時に該ハーフＰＣ板５内に組み付けられる。図７（ａ）に示すように、ハーフＰＣ板用打込部材１１を定盤からなる製造用コンクリート型枠２６上に配置する。ここで、製造用コンクリート型枠２６上には、ドレイン本体１の配設位置に対応する位置にマーキングが施され、該マーキングにハーフＰＣ板用打込部材１１を一致させることにより、施工現場でドレイン本体１を配設する正確な位置にハーフＰＣ板用打込部材１１を配置することができる。また、この時、コンクリート遮断筒部１２の下底面に設けられた貼着面部２５と、製造用コンクリート型枠２６とを両面テープ２７によって接合することにより、ハーフＰＣ板用打込部材１１の設置を容易に行うことができる。尚、図示省略されているが、製造用コンクリート型枠２６上には、補強用鉄筋が所定形態で配設される。
【００２８】
そして、図７（ｂ）に示すように、製造用コンクリート型枠２６上に所定量のコンクリート２８を打設して、コンクリート遮断筒部１２の上部が打設したコンクリート２８の上方に突出する状態となるようにする。この状態で所定時間放置してコンクリート２８を硬化させた後、図７（ｃ）に示すように、製造用コンクリート型枠２６から取り外すと、ハーフＰＣ板用打込部材１１が硬化したコンクリート２８と一体化し、コンクリート遮断筒部１２によってドレイン本体１の配設位置に対応する位置に上下方向の挿通孔２９が形成されたハーフＰＣ板５が完成する。ここで、コンクリート遮断筒部１２の外壁面には、打設されたコンクリート２８内に埋入するアンカー１４が側方突成されていることにより、そのアンカー作用によってハーフＰＣ板用打込部材１１がハーフＰＣ板５から脱落することはない。
【００２９】
次に、ハーフＰＣ板用打込部材１１を組み付けた前記ハーフＰＣ板５上に、施工現場でドレイン本体１を仮固定する手順について説明する。
先ず、建築物の床部となる所定の場所にハーフＰＣ板５を水平に設置する。該ハーフＰＣ板５は上述したように現場打ちコンクリートの型枠として用いられる。そして、図８（ａ）に示すように、支持プレート７に立設された螺子杆８の上部を把持して、該支持プレート７を天蓋板部１３の装入孔１７からコンクリート遮断筒部１２内に若干傾斜させた状態で装入した後、図８（ｂ）に示すように、支持プレート７を水平状態に戻して、図８（ｃ）に示すように、該支持プレート７の両端部を受縁部材１９，１９の受片部２０ｃ，２０ｃに乗載して水平状に保持させる。これにより、螺子杆８から手を離しても支持プレート７が落下することがなく、また、螺子杆８がハーフＰＣ板用打込部材１１から上方に向けて垂直状に立設されることとなる。
【００３０】
この状態で、図１に示すように、天蓋板部１３に形成されている嵌合部１６の嵌合周壁１５（図４参照）内に筒状スペーサ４の下端を嵌合し、該筒状スペーサ４の上端にドレイン受皿２を乗載して所定高さ位置に保持する。次いで、養生蓋を兼ねた挟圧板９に螺子杆８の上部を挿通して、該挟圧板９をドレイン受皿２に被着し、該挟圧板９から上方に突出する螺子杆８の突出端に緊締用ナット１０を螺合して緊締方向に螺回操作する。これにより、螺子杆８の上方への螺進作用を介して支持プレート７が受縁部材１９，１９から浮き上がって、装入孔１７（図４参照）の孔縁下面に係合されることとなる。ここで、上記のように緊締用ナット１０を緊締方向に螺回操作すると、これに伴って支持プレート７が同方向へ回動するのであるが、受縁部材１９，１９に設けられた回動規制片部２１，２１に支持プレート７の側面が当接して、該支持プレート７の回動が規制されることにより、緊締用ナット１０の緊締操作を確実かつ容易に行うことができる。
【００３１】
そして、上記のように、支持プレート７が装入孔１７の孔縁下面に係合されると、緊締用ナット１０の緊締力によって挟圧板９が下方に押圧され、これに伴って該挟圧板９と筒状スペーサ４とによってドレイン受皿２が挟持されるので、図１に示すように、ドレイン本体１を移動不能に仮固定することができる。然る後、ハーフＰＣ板５上に所定厚の現場打ちコンクリート３０（図９参照）を打設し、その硬化後に、図９に示すように、支持プレート７，螺子杆８，挟圧板９，緊締用ナット１０を除去して、ドレイン受皿２上にストレーナ３１を取付けるとともに、排水管部３に下方から樋管３２の上端を外嵌させることにより施工が完了する。
【００３２】
上述したように、本発明によれば、コンクリート遮断筒部１２と、嵌合周壁１５を有する嵌合部１６が形成された天蓋板部１３とが一体化されていることにより、コンクリート遮断筒部１２によって形成される挿通孔２９と嵌合周壁１５の中心を正確に一致させることができ、これによって嵌合周壁１５に下端を嵌合する筒状スペーサ４によって保持されるドレイン本体１が挿通孔２９の中心からずれることがない。また、コンクリート遮断筒部１２の上部を覆う天蓋板部１３に、支持プレート７が上方から装入可能で、該支持プレート７の長さ寸法に比して開口幅が狭い装入孔１７が開口されていることにより、コンクリート遮断筒部１２の上部位置で、装入孔１７の孔縁下面に対する支持プレート７の係合操作を極めて容易に行うことができる。さらに、コンクリート遮断筒部１２によって、ハーフＰＣ板５の製造時に打設されたコンクリート２８に上下方向の挿通孔２９を形成し得るので、従来のように、ボイド管等の管状型材を別途用いる必要がない。また、ハーフＰＣ板用打込部材１１は、ハーフＰＣ板５の製造時に打設されたコンクリート２８と一体化されるため、従来のように、埋込部材ｄ（図１２参照）が乗載される挿通孔ｋの周囲を平滑に仕上げる作業を不要にすることができる。
【００３３】
また、前記天蓋板部１３の下方の所定高さ位置に、装入孔１７から装入された支持プレート７を水平状に保持する受縁部材１９，１９を配設したので、支持プレート７に立設された螺子杆８から手を離しても、支持プレート７を保持する受縁部材１９，１９によって該支持プレート７が落下することがない。これにより、ドレイン本体１の仮固定作業を両手を用いて容易かつ円滑に行うことができる。
【００３４】
さらに、該受縁部材１９，１９に、螺子杆８に螺合される緊締用ナット１０の緊締方向への螺回操作に伴って回動する支持プレート７の側面に当接して該支持プレート７の回動を規制する回動規制片部２１，２１を設けたので、螺子杆８に螺合される緊締用ナット１０の緊締方向への螺回操作時に、支持プレート７が回動することがなく、その緊締操作を確実かつ容易に行うことができる。
【００３５】
また、前記コンクリート遮断筒部１２の下底面に、製造用コンクリート型枠２６との固定に用いる両面テープ２７の貼着領域を備えた貼着面部２５を設けたので、製造用コンクリート型枠２６上に貼着した両面テープ２７上に、コンクリート遮断筒部１２を乗載してその下底面に設けた貼着面部２５を貼着させることにより、製造用コンクリート型枠２６上へのハーフＰＣ板用打込部材１１の設置を容易に行うことができる。
【００３６】
尚、上記実施例にあっては、天蓋板部１３に形成される嵌合部１６を、周方向に連続する嵌合周壁１５を外周に備えた円形凹部としたが、これに代えて、図１０（ａ）にしめす第一変形実施例のように、周方向に連続する嵌合周壁１５を外周に備えた円形凸部としてもよい。このように、嵌合部１６を外周に連続する嵌合周壁１５を備えた円形凸部または円形凹部とすることにより、金属製の天蓋板部１３に対するプレス加工によって嵌合部１６を精密かつ容易に形成することができる。また、嵌合部１６は、図１０（ｂ）にしめす第二変形実施例のように、別体形成した嵌合周壁１５を、天蓋板部１３の上面に溶接することにより、周方向に沿って連続状または非連続状に配設して構成することも可能である。
【図面の簡単な説明】
【００３７】
【図１】本発明にかかるハーフＰＣ板用打込部材１１を備えたハーフＰＣ板５上にドレイン本体１を仮固定した状態を示す縦断面図である。
【図２】同上のハーフＰＣ板用打込部材１１の外観斜視図である。
【図３】同上のハーフＰＣ板用打込部材１１の平面図である。
【図４】同上のハーフＰＣ板用打込部材１１の縦断面図である。
【図５】支持プレート７と螺子杆８の外観斜視図である。
【図６】受縁部材１９，１９の外観斜視図である。
【図７】ハーフＰＣ板５の製造工程を示す説明図である。
【図８】ハーフＰＣ板用打込部材１１に対する支持プレート７の配設工程を示す説明図である。
【図９】ドレイン本体１の施工完了状態を示す縦断面図である。
【図１０】（ａ）は第一変形実施例、（ｂ）は第二変形実施例の構成を夫々示すハーフＰＣ板用打込部材１１の部分縦断面図である。
【図１１】従来の埋込部材ｄを用いてドレイン本体ａをハーフＰＣ板ｊ上に仮固定した状態を示す縦断面図である。
【図１２】ハーフＰＣ板ｊ上に埋込部材ｄを固定した状態を示す説明図である。
【図１３】螺子杆ｎに下方傾斜状態で吊持した支持プレートｓをハーフＰＣ板ｊの下面に係合させる操作状態を示す説明図である。
【符号の説明】
【００３８】
１  ドレイン本体（ルーフドレイン本体）
２  ドレイン受皿
３  排水管部
４  筒状スペーサ
５  ハーフＰＣ板
７  支持プレート
８  螺子杆
１０  緊締用ナット
１１  ハーフＰＣ板用打込部材
１２  コンクリート遮断筒部
１３  天蓋板部
１４  アンカー
１５  嵌合周壁
１６  嵌合部
１７  装入孔
１９  受縁部材
２１  回動規制片部
２５  貼着面部
２６  製造用コンクリート型枠
２７  両面テープ
２８  コンクリート
２９  挿通孔
【図１】
2007239184.tif 000003
【図２】
2007239184.tif 000004
【図３】
2007239184.tif 000005
【図４】
2007239184.tif 000006
【図５】
2007239184.tif 000007
【図６】
2007239184.tif 000008
【図７】
2007239184.tif 000009
【図８】
2007239184.tif 000010
【図９】
2007239184.tif 000011
【図１０】
2007239184.tif 000012
【図１１】
2007239184.tif 000013
【図１２】
2007239184.tif 000014
【図１３】
2007239184.tif 000015